(57)【要約】  本開示の実施形態は、ＵＬデータ送信のための方法、端末装置および装置、ならびにＵＬデータスケジューリングのための方法、ネットワーク装置および装置に関する。本開示の一実施形態では、ＤＬデータ送信の方法は、アンライセンスバンドにおけるアップリンクデータ送信の開始位置に関する情報をネットワーク装置から受信し、アップリンクデータ送信の開始位置に関する情報からアップリンクデータ送信の開始位置を決定する。決定されたアップリンクデータ送信の開始位置は、使用されるキャリアヌメロロジーに関連付けられる。本開示の実施形態によれば、 ＮＲシステムのアンライセンスバンドにおけるＵＬデータ送信を可能にし、ＮＲシステムのパフォーマンスを向上することができる。【選択図】図４
2020527913.tif 000002
【特許請求の範囲】
【請求項１】
アンライセンスバンドにおけるアップリンクデータ送信のための方法であって、
ネットワーク装置から、前記アンライセンスバンドにおけるアップリンクデータ送信の開始位置に関する情報を受信し、
前記アップリンクデータ送信の開始位置に関する情報からアップリンクデータ送信の開始位置を決定し、前記決定されたアップリンクデータ送信の開始位置は、使用されるキャリアヌメロロジーに関連付けられる、
方法。
【請求項２】
前記アップリンクデータ送信の開始位置の決定は、前記アップリンクデータ送信の開始位置に関する情報および前記使用されるキャリアヌメロロジーに基づいて実行される、
請求項１に記載の方法。
【請求項３】
前記アップリンクデータ送信の開始位置に関する情報は、端末装置のみの前記決定されたアップリンクデータ送信の開始位置を示す、
請求項１に記載の方法。
【請求項４】
前記アップリンクデータ送信の開始位置の決定では、前記アップリンクデータ送信の開始位置に関する情報と、アップリンクデータ送信の開始位置に関する情報と前記使用されるキャリアヌメロロジーに対応するアップリンクデータ送信の開始位置との間のマッピングに基づいて、前記アップリンクデータ送信の開始位置を決定する、
請求項１から３のいずれかに記載の方法。
【請求項５】
前記アップリンクデータ送信の開始位置の決定では、前記アップリンクデータ送信の開始位置に関する情報、前記使用されるキャリアヌメロロジー、およびアップリンクデータ送信の開始位置に関する情報とアップリンクデータ送信の開始位置との関係であって前記使用されるキャリアヌメロロジーをパラメータとして含む関係に基づいて、前記アップリンクデータ送信の開始位置を決定する、
請求項１から３のいずれかに記載の方法。
【請求項６】
さらに、スロット開始境界とサブフレーム内のスロットの一部の開始境界のうちの１つ以上から、ＣＣＡ（Ｃｌｅａｒ  Ｃｈａｎｎｅｌ  Ａｓｓｅｓｓｍｅｎｔ）を実行する、
請求項１から５のいずれかに記載の方法。
【請求項７】
前記サブフレーム内のＣＣＡシンボル数は、前記使用されるキャリアヌメロロジーに依存する、
請求項６に記載の方法。
【請求項８】
さらに、前記ネットワーク装置から前記ＣＣＡを実行する時点を示す前記ＣＣＡに関する情報を受信する、
請求項６または７に記載の方法。
【請求項９】
アンライセンスバンドにおけるアップリンクデータスケジューリングの方法であって、
使用されるキャリアヌメロロジーに基づいて、前記アンライセンスバンドにおける端末装置のアップリンクデータ送信の開始位置を決定し、
前記決定されたアップリンクデータ送信の開始位置に関する情報を、前記端末装置に送信する、
方法。
【請求項１０】
前記決定されたアップリンクデータ送信の開始位置に関する情報は、前記使用されるキャリアヌメロロジーと共に、前記決定された端末装置のアップリンクデータ送信の開始位置を示す、
請求項９に記載の方法。
【請求項１１】
前記決定されたアップリンクデータ送信の開始位置に関する情報は、前記端末装置のみの前記決定されたアップリンクデータ送信の開始位置を示す、
請求項９に記載の方法。
【請求項１２】
さらに、ＣＣＡ（Ｃｌｅａｒ  Ｃｈａｎｎｅｌ  Ａｓｓｅｓｓｍｅｎｔ）を実行する時点を示す前記ＣＣＡに関する情報を、前記端末装置に送信する、
請求項９乃至１１のいずれかに記載の方法。
【請求項１３】
ネットワーク装置から、アンライセンスバンドにおけるアップリンクデータ送信の開始位置に関する情報を受信するように構成されたトランシーバと、
前記アップリンクデータ送信の開始位置に関する情報からアップリンクデータ送信の開始位置を決定するように構成されたコントローラとを備え、前記決定されたアップリンクデータ送信の開始位置は、使用されるキャリアヌメロロジーに関連付けられる、
端末装置。
【請求項１４】
前記コントローラは、前記アップリンクデータ送信の開始位置に関する情報および前記使用されるキャリアヌメロロジーに基づいて、前記アップリンクデータ送信の開始位置を決定するようにさらに構成される、
請求項１３に記載の端末装置。
【請求項１５】
前記アップリンクデータ送信の開始位置に関する情報は、前記端末装置のみの前記決定されたアップリンクデータ送信の開始位置を示す、
請求項１３に記載の端末装置。
【請求項１６】
前記コントローラは、前記アップリンクデータ送信の開始位置に関する情報と、アップリンクデータ送信の開始位置に関する情報と前記使用されるキャリアヌメロロジーに対応するアップリンクデータ送信の開始位置との間のマッピングに基づいて、前記アップリンクデータ送信の開始位置を決定するように、さらに構成される、
請求項１３乃至１５のいずれかに記載の端末装置。
【請求項１７】
前記コントローラは、前記アップリンクデータ送信の開始位置に関する情報、前記使用されるキャリアヌメロロジー、およびアップリンクデータ送信の開始位置に関する情報とアップリンクデータ送信の開始位置との間の関係であって前記使用されるキャリアヌメロロジーをパラメータとして含む関係に基づいて、前記アップリンクデータ送信の開始位置を決定するように、さらに構成される、
請求項１３乃至１５のいずれかに記載の端末装置。
【請求項１８】
前記コントローラは、スロット開始境界とサブフレーム内の一部のスロットの開始境界のうちの１つ以上から、ＣＣＡ（Ｃｌｅａｒ  Ｃｈａｎｎｅｌ  Ａｓｓｅｓｓｍｅｎｔ）を実行するように、さらに構成される、
請求項１３乃至１７のいずれかに記載の端末装置。
【請求項１９】
前記サブフレーム内のＣＣＡシンボルの数は、前記使用されるキャリアヌメロロジーに依存する、
請求項１８に記載の端末装置。
【請求項２０】
前記トランシーバは、前記ネットワーク装置から前記ＣＣＡを実行する時点を示す前記ＣＣＡに関する情報を受信するように、さらに構成される、
請求項１８または１９に記載の端末装置。
【請求項２１】
使用されるキャリアヌメロロジーに基づいて、アンライセンスバンドにおける端末装置のアップリンクデータ送信の開始位置を決定するように構成されたコントローラと、
前記決定されたアップリンクデータ送信の開始位置に関する情報を、前記端末装置に送信するように構成されたトランシーバとを備える、
ネットワーク装置。
【請求項２２】
前記決定されたアップリンクデータ送信の開始位置に関する情報は、前記使用されるキャリアヌメロロジーと共に、前記端末装置の前記決定されたアップリンクデータ送信の開始位置を示す、
請求項２１に記載のネットワーク装置。
【請求項２３】
前記決定されたアップリンクデータ送信の開始位置に関する情報は、前記端末装置のみの前記決定されたアップリンクデータ送信の開始位置を示す、
請求項２１に記載のネットワーク装置。
【請求項２４】
前記トランシーバは、ＣＣＡ（Ｃｌｅａｒ  Ｃｈａｎｎｅｌ  Ａｓｓｅｓｓｍｅｎｔ）を実行する時点を示す前記ＣＣＡに関する情報を、前記端末装置に送信するように、さらに構成される、
請求項２１乃至２３のいずれかに記載のネットワーク装置。
【請求項２５】
プロセッサと、
前記プロセッサに結合され、前記プロセッサで実行することにより端末装置に請求項１乃至８のいずれかの方法を実行させるプログラムコードを有するメモリとを備える、
端末装置。
【請求項２６】
プロセッサと、
前記プロセッサに結合され、前記プロセッサで実行することによりネットワーク装置に請求項９乃至１２のいずれかの方法を実行させるプログラムコードを有するメモリとを備える、
ネットワーク装置。
【発明の詳細な説明】
【技術分野】
【０００１】
本開示の非限定的かつ例示的な実施形態は、概ね無線通信技術の分野に関しており、より具体的には、アップリンクデータ送信のための方法、端末装置（デバイス）および装置、およびアップリンクデータスケジューリングのための方法、ネットワーク装置（デバイス）および装置に関する。
【背景技術】
【０００２】
データレートのパフォーマンスを向上させるために、３ＧＰＰ（Third Generation Partnership Project）ＬＴＥ（Long Term Evolution）では、ダウンリンクとアップリンクの両方の送信（伝送）にＬＡＡ（Licensed-Assisted Access）が導入されている。
【０００３】
ユーザのパフォーマンスをさらに向上させるために、ＮＲシステムまたはＮＲネットワークとも呼ばれる新無線アクセスシステム（New radio access system）が次世代通信システムとして導入された。ＬＴＥネットワークがＮＲプロジェクトの下でより広い帯域幅の電波の研究を伴って次の発展段階に入ると、ＬＡＡネットワークが５Ｇ ＮＲシステムに発展することは自然である。ＲＡＮミーティング＃７６で、「アンライセンススペクトルへのＮＲベースアクセスに関する研究（Study on NR-Based Access to Unlicensed Spectrum）」という研究項目が合意された。
【０００４】
ＮＲシステムにおけるＬＡＡに関しては、デュプレックスモード、電波（波形）、キャリア帯域幅、サブキャリア間隔、フレーム構造、および物理層設計の選択肢を引き受ける物理チャネルを研究する必要がある。また、ＮＲ ＷＩでなされた決定との不必要な相違を回避する方法を研究する必要がある。
【０００５】
したがって、ＵＬデータ送信およびスケジューリングの新しいソリューションが必要である。
【発明の概要】
【０００６】
この目的のために、本開示では、先行技術における問題の少なくとも一部を軽減または少なくとも緩和するための、アップリンクデータ送信およびスケジューリングのための新しいソリューションが提供される。
【０００７】
本開示の第１の態様によれば、アンライセンスバンドにおけるアップリンクデータ送信のための方法が提供される。この方法では、ネットワーク装置から、前記アンライセンスバンドにおけるアップリンクデータ送信の開始位置に関する情報を受信し、前記アップリンクデータ送信の開始位置に関する情報からアップリンクデータ送信の開始位置を決定してもよい。前記決定されたアップリンクデータ送信の開始位置は、使用されるキャリアヌメロロジーに関連付けられる。
【０００８】
本開示の第２の態様によれば、アンライセンスバンドにおけるアップリンクデータスケジューリングの方法が提供される。この方法では、使用されるキャリアヌメロロジーに基づいて、前記アンライセンスバンドにおける端末装置のアップリンクデータ送信の開始位置を決定し、前記決定されたアップリンクデータ送信の開始位置に関する情報を前記端末装置に送信してもよい。
【０００９】
本開示の第３の態様によれば、端末装置が提供される。この端末装置は、ネットワーク装置から、アンライセンスバンドにおけるアップリンクデータ送信の開始位置に関する情報を受信するように構成されたトランシーバと、前記アップリンクデータ送信の開始位置に関する情報からアップリンクデータ送信の開始位置を決定するように構成されたコントローラとを備えてもよい。前記決定されたアップリンクデータ送信の開始位置は、使用されるキャリアヌメロロジーに関連付けられる。
【００１０】
本開示の第４の態様によれば、ネットワーク装置が提供される。このネットワーク装置は、使用されるキャリアヌメロロジーに基づいて、アンライセンスバンドにおける端末装置のアップリンクデータ送信の開始位置を決定するように構成されたコントローラと、前記決定されたアップリンクデータ送信の開始位置に関する情報を、前記端末装置に送信するように構成されたトランシーバとを備えてもよい。
【００１１】
本開示の第５の態様によれば、端末装置が提供される。この端末装置は、プロセッサおよびメモリを備えてもよい。このメモリは、前記プロセッサに結合され、前記プロセッサで実行することにより端末装置に第１の態様の動作を実行させるプログラムコードを有してもよい。
【００１２】
本開示の第６の態様によれば、ネットワーク装置が提供される。このネットワーク装置は、プロセッサとメモリを備えてもよい。このメモリは、前記プロセッサに結合され、前記プロセッサで実行することによりネットワーク装置に第２の態様の動作を実行させるプログラムコードを有してもよい。
【００１３】
本開示の第７の態様によれば、コンピュータプログラムコードを有するコンピュータ可読記憶媒体が提供される。このコンピュータプログラムコードは、実行されることにより、装置に第１の態様の任意の実施形態に係る方法の動作を実行させるように構成される。
【００１４】
本開示の第８の態様によれば、コンピュータプログラムコードを有するコンピュータ可読記憶媒体が提供される。このコンピュータプログラムコードは、実行されることにより、装置に第２の態様の任意の実施形態に係る方法の動作を実行させるように構成される。 
【００１５】
本開示の第９の態様によれば、第７の態様に係るコンピュータ可読記憶媒体を含むコンピュータプログラム製品が提供される。
【００１６】
本開示の第１０の態様によれば、第８の態様に係るコンピュータ可読記憶媒体を含むコンピュータプログラム製品が提供される。
【００１７】
本開示の実施形態によれば、ＮＲシステムのアンライセンスバンドにおけるＵＬデータ送信を可能にし、したがってＮＲシステムのパフォーマンスを向上することができる。
【図面の簡単な説明】
【００１８】
本開示の上記および他の特徴は、次の添付の図面を参照しつつ実施形態で示されるような実施形態の詳細な説明を通してより明らかになる。全体を通して、同じ参照符号は同じまたは類似の構成要素を表す。
【００１９】
【図１】図１は、１５ＫＨｚのサブキャリア間隔（ＳＣＳ）を有するＬＴＥシステムにおけるデータスケジューリングの例を概略的に示している。
【００２０】
【図２】図２は、ＬＴＥシステムに新たに導入された開始位置を概略的に示している。
【００２１】
【図３】図３は、本開示の一実施形態に係るＮＲシステムにおけるＵＬデータ送信の可能な開始位置とＬＴＥシステムにおけるそれらとの間の違いを概略的に示している。
【００２２】
【図４】図４は、本開示の一実施形態に係るアップリンクデータ送信の方法のフローチャートを概略的に示している。
【００２３】
【図５】図５は、本開示の一実施形態に係る３０ＫＨｚのＳＣＳを有するＮＲシステムにおけるＵＬデータ送信の可能な開始位置を概略的に示している。
【００２４】
【図６】図６は、本開示の一実施形態に係る６０ＫＨｚのＳＣＳを有するＮＲシステムにおけるＵＬデータ送信の可能な開始位置を概略的に示している。
【００２５】
【図７】図７は、本開示の一実施形態に係る１２０ＫＨｚのＳＣＳを有するＮＲシステムにおけるＵＬデータ送信の可能な開始位置を概略的に示している。
【００２６】
【図８】図８は、本開示の一実施形態に係る２４０ＫＨｚのＳＣＳを有するＮＲシステムにおけるＵＬデータ送信の可能な開始位置を概略的に示している。
【００２７】
【図９】図９は、本開示の一実施形態に係るＮＲシステムにおけるＣＣＡの機会を概略的に示している。
【００２８】
【図１０】図１０は、本開示の一実施形態に係るＮＲシステムにおけるＣＣＡの別の例示的な機会を概略的に示している。
【００２９】
【図１１】図１１は、本開示の一実施形態に係るサブフレーム内のＣＣＡの数と使用されるヌメロロジーとの関係を示している。
【００３０】
【図１２】図１２は、本開示の一実施形態に係るＮＲシステムにおけるＣＣＡのさらなる例示的な機会を概略的に示している。
【００３１】
【図１３】図１３は、本開示の一実施形態に係るアップリンクデータスケジューリングの方法のフローチャートを概略的に示している。
【００３２】
【図１４】図１４は、本開示の一実施形態に係るアップリンクデータ送信のための装置のブロック図を概略的に示している。
【００３３】
【図１５】図１５は、本開示の一実施形態に係るアップリンクデータスケジューリングのための装置のブロック図を概略的に示している。
【００３４】
【図１６】図１６は、本明細書に記載されている、（ｇＮＢのような）ネットワーク装置として具現化または備えられ得る装置１６１０と、ＵＥのような端末装置として具現化または備えられ得る装置１６２０の簡略ブロック図を概略的に示している。
【発明を実施するための形態】
【００３５】
以下、本開示で提供されるソリューションについて、添付の図面を参照しつつ実施形態を通して詳細に説明する。これらの実施形態は、当業者が本開示をよりよく理解および実施できるようにするためにのみ提示され、本開示の範囲をいかなる方法でも限定することを意図するものではないことが理解される。
【００３６】
添付の図面では、本開示の様々な実施形態がブロック図、フローチャート、および他の図に示されている。フローチャートまたはブロック図内の各ブロックは、特定の論理機能を実行するための１つまたは複数の実行可能命令を含むモジュール、プログラム、またはコードの一部を表す場合があり、本開示では、必ずしも必要ではないブロックが点線で示されている。さらに、これらのブロックは、方法のステップを実行するための特定の順序で示されているが、実際の方法として、それらは必ずしも示された順序に従って厳密に実行されなくてもよい。例えば、それぞれの動作の性質に応じて、逆の順序または同時に実行されてもよい。なお、ブロック図および／またはフローチャート中の各ブロックおよびそれらの組み合わせは、特定の機能／動作を実行するための専用ハードウェアベースのシステムによって、または専用のハードウェアとコンピュータ命令の組み合わせによって実装されてもよいことに留意すべきである。
【００３７】
一般的に、特許請求の範囲で使用される全ての用語は、本明細書で他に明示的に定義されていない限り、その技術分野におけるそれらの通常の意味に従って解釈されるべきである。「要素、装置（デバイス）、コンポーネント、手段、ステップなど」に対する全ての言及は、特にそうではないと明示的に述べられていない限り、複数のそのような装置（デバイス）、コンポーネント、手段、ユニット、ステップなどを除外するものではなく、少なくとも一つの要素、装置（デバイス）、コンポーネント、手段、ユニット、ステップなどの例を指すものとして素直に解釈されるべきである。さらに、本明細書で使用される不定冠詞「一つの」は、複数のそのようなステップ、ユニット、モジュール、装置（デバイス）、およびオブジェクトなどを除外するものではない。
【００３８】
さらに、本開示の文脈において、ユーザ機器（ＵＥ（User Equipment））は、端末、モバイル端末（ＭＴ（Mobile Terminal））、加入者局（Subscriber Station）、ポータブル加入者局（Portable Subscriber Station）、移動局（ＭＳ（Mobile Station））、またはアクセス端末（ＡＴ（Access Terminal））を指してもよいし、ＵＥ、端末、ＭＴ、ＳＳ、ポータブル加入者局、ＭＳ、またはＡＴの機能の一部または全てが含まれてもよい。さらに、本開示の文脈では、用語「ＢＳ」は、例えば、ノードＢ（ＮｏｄｅＢまたはＮＢ）、ｅｖｏｌｖｅｄ ＮｏｄｅＢ（ｅＮｏｄｅＢまたはｅＮＢ）、ｇＮＢ（次世代ＮｏｄｅＢ）、Ｒａｄｉｏ Ｈｅａｄｅｒ（ＲＨ）、Ｒｅｍｏｔｅ Ｒａｄｉｏ Ｈｅａｄ（ＲＲＨ）、リレー、またはフェムト、ピコなどの低電力ノードを表してもよい。
【００３９】
説明のため、まず、ＬＴＥシステムにおけるアンライセンスバンドでのアップリンク送信（Uplink Transmission）のデータスケジューリングについて説明する。３ＧＰＰ ＴＳ ２６．２１２．ｅ３０のセクション５．３．３で示されているように、ＤＣＩ（Downlink Control Indication）フォーマット０Ａ、０Ｂ、４Ａ、および４Ｂは、アンライセンスバンドでのアップリンク送信をスケジュールするために定義されている。フォーマット０Ａ／０Ｂでは、ＰＵＳＣＨ（Physical Uplink Shared Channel）の開始位置を示すために２ビットが使用される。マルチサブフレームスケジューリング用に設計されたフォーマット４Ａ／４Ｂでは、ＰＵＳＣＨ（Physical Uplink Shared Channel）の開始位置を示すために２ビットが使用される。しかし、それは、最初にスケジュールされたサブフレームにのみ適用できる。次のテーブルに、２ビットの値とＰＵＳＣＨ開始位置（starting position）の関係を示す。
【表１】
2020527913.tif 000003
【００４０】
上記のテーブルから、ＬＴＥシステムでは、ＵＬデータ送信は、シンボル０、シンボル０の２５μｓ、シンボル０の（２５＋ＴＡ）μｓ、またはシンボル１いずれかから開始できることがわかる。ここで、ＴＡは適用されるＴｉｍｅ Ａｄｖａｎｃｅ時間を示す。
【００４１】
図１は、１５ＫＨｚのサブキャリア間隔（subcarrier spacing）を有するＬＴＥシステムでのデータスケジューリングの例を示している。図１には、２ビットの４つの可能な値に対応する４つの可能な開始位置が示されている。
【００４２】
３ＧＰＰ ＲＮＡ１＃８９では、１つ以上の開始位置を使用することがすでに合意されている。ＵＬパーシャルサブフレーム（partial subframe）に関するオフラインディスカッションの結果によると、シンボル＃７でのＵＬパーシャルサブフレームの送信開始は、モード１とモード２の両方でサポートされる。モード１では、ＵＥはＲｅｌ−１４開始位置またはシンボル＃7で開始できる。これは、例えば、ＬＢＴ（Listen before Talk）オペレーションの結果に依存する。モード２では、ＵＬグラント（grant）はシンボル＃7の開始位置を示し、シンボル＃7と＃8の間の追加の開始位置は今後の研究用である。
【００４３】
図２は、ＬＴＥシステムに新たに導入された開始位置を示している。新しい開始位置は矢印で示されている。図２から、ＵＬデータ送信はシンボル７の開始境界（start boundary）から、また場合によってはシンボル８の開始境界から開始できることが明らかである。
【００４４】
しかし、ＮＲシステムで使用されるヌメロロジーが異なるため、ＮＲシンボル長はＬＴＥシンボル長よりも短くなる可能性があり、したがって、ＣＣＡ後の開始シンボルが異なる場合がある。一例として、図３に示すように、ＳＣＳ＝６０ＫＨｚの場合、シンボル長は約１７．９μｓであり、２５μｓより短いため、可能な開始位置は、シンボル０（サブフレームの開始境界）、シンボル１の２５μｓ、シンボル１の２５＋ＴＡμｓまたはシンボル２のいずれかである。
【００４５】
本開示では、ＬＡＡベースのＵＬデータ送信を可能にするため、ＮＲシステムにおけるＵＬデータ送信およびＵＬデータスケジューリングソリューションが提案される。以下、図４から図１６をさらに参照し、ＮＲシステムにおけるＵＬデータ送信およびスケジューリングソリューションを説明する。全ての実施形態は例示の目的で提供され、本開示はそれに限定されないことが理解される。
【００４６】
まず、図４を参照する。図４は、本開示の一実施形態に係るアップリンクデータ送信の方法のフローチャートを概略的に示している。この方法４００は、端末装置、例えばＵＥや他の同様の端末装置で実施することができる。
【００４７】
図４に示されるように、最初にステップ４０１において、端末装置は、ネットワーク装置から、アンライセンスバンドにおけるアップリンクデータ送信の開始位置に関する情報を受信する。換言すると、端末装置は、基地局ｇＮＢなどのネットワーク装置またはネットワークノードから開始位置情報を受信する。これにより、ＵＬデータ送信の開始位置を決定でき、アップリンクデータ送信の開始位置を示す情報を送信（伝達）できる。
【００４８】
次に、ステップ４０２において、端末装置は、アップリンクデータ送信の開始位置に関する情報からＵＬデータ送信の開始位置を決定する。この決定されたＵＬデータ送信の開始位置は、使用されるキャリアヌメロロジー（to-be-used carrier numerology）に関連付けられる。本明細書で使用される「ヌメロロジー」という用語は、例えば、ＳＣＳ、スロット内のシンボルの数、シンボル長などを含む、サブフレームの構造のための構成パラメータを指す。
【００４９】
本開示の一実施形態では、可能な開始位置は、例えば以下のように決定され得る。ＣＣＡ時間をＭμｓで示し、ＮＲシステムで使用されるサブキャリア間隔Ｘを１５ＫＨｚ＊２ｎと仮定すると、ヌメロロジーで異なる可能性のある開始位置の最後の１つは、次のように求めることができる。
Ｓｙｍｂｏｌ Ｙ＝ｃｅｉｌｉｎｇ（Ｍ／ｓｙｍｂｏｌ ｌｅｎｇｔｈ）   （式１）
ここで、Ｙは整数であり、シンボル長は約（７１．８／２ｎ）μｓであり、「ｃｅｉｌｉｎｇ」は切り上げ操作を意味する。したがって、ＮＲシステムのサブキャリアＸの可能な開始位置は、シンボル０、シンボル（Ｙ−１）のＭμｓ、（Ｍ＋ＴＡ）μｓ、またはシンボルＹのいずれかとなる。これらの中で、（Ｍ＋ＴＡ）μｓがどのシンボルに配置されるかは、ＴＡの値に依存する。
【００５０】
説明のため、図５から図８は、本開示の実施形態に係る異なるヌメロロジーを有するＮＲシステムにおけるＵＬデータ送信の例示的な可能な開始位置を概略的に示している。これらの例では、説明のためにのみ、例えばＭは２５μｓであると仮定されている。
【００５１】
図５は、本開示の一実施形態に係る３０ＫＨｚのＳＣＳを有するＮＲシステムにおけるＵＬデータ送信の可能な開始位置を概略的に示している。図５に示すように、このＮＲシステムでは、ＳＣＳ＝３０ＫＨｚであり、ｎ＝１およびシンボル長＝３５．９μｓを示し、このような場合、Ｙ＝１である。このため、可能な開始位置は、シンボル０、シンボル０の２５μｓ、シンボル０の（２５＋ＴＡ）μｓまたはシンボル１のいずれかである。したがって、これらは、ＬＴＥシステムの開始位置と実質的に同じである。
【００５２】
図６は、本開示の一実施形態に係る６０ＫＨｚのＳＣＳを有するＮＲシステムにおけるＵＬデータ送信の可能な開始位置を概略的に示している。図６に示すように、このＮＲシステムでは、ＳＣＳ＝６０ＫＨｚであり、ｎ＝２およびシンボル長＝１７．９５μｓを示し、このような場合、Ｙ＝２である。したがって、可能な開始位置は、シンボル０、シンボル１の２５μｓ、シンボル１の（２５＋ＴＡ）μｓ、またはシンボル２のいずれかを含む。
【００５３】
図７は、本開示の一実施形態に係る１２０ＫＨｚのＳＣＳを有するＮＲシステムにおけるＵＬデータ送信の可能な開始位置を概略的に示している。図７に示すように、このＮＲシステムでは、ＳＣＳ＝１２０ＫＨｚであり、ｎ＝３およびシンボル長＝８．９２５μｓを示し、このような場合、Ｙ＝３である。したがって、可能な開始位置は、シンボル０、シンボル２の２５μｓ、シンボル２の（２５＋ＴＡ）μｓ、またはシンボル３である。この（２５＋ＴＡ）μｓが配置されている特定のシンボルは、ＴＡの値に依存する。シンボル３に加えて、またはシンボル３の代わりに、次のスロット／サブスロットのシンボル０からＵＬデータ送信を開始してもよい。例えば、ＵＬデータ送信は、図７の中央図に示すように、次のスロットのシンボル０から開始してもよい。また、ＵＬデータ送信は、図７の下図に示すように、シンボル７、つまり２番目のサブスロット（サブフレームには２つのサブスロットが含まれ、それぞれに７つのシンボルが含まれる）の最初のシンボル０から開始してもよい。
【００５４】
図８は、本開示の一実施形態に係る２４０ＫＨｚのＳＣＳを有するＮＲシステムにおけるＵＬデータ送信の可能な開始位置を概略的に示している。図８に示すように、このＮＲシステムでは、ＳＣＳ＝２４０ＫＨｚであり、ｎ＝４およびシンボル長＝４．４８７５μｓを示し、このような場合、Ｙ＝６である。したがって、可能な開始位置は、シンボル０、シンボル５の２５μｓ、シンボル５の（２５＋ＴＡ）μｓ、またはシンボル６のいずれかである。この（２５＋ＴＡ）μｓが配置されている特定のシンボルは、ＴＡの値に依存する。シンボル６に加えて、またはシンボル６の代わりに、次のスロット／サブスロットのシンボル０からＵＬデータ送信を開始してもよい。
【００５５】
アンライセンスバンドにおけるＵＬデータ送信をいつ開始するかに関する情報は、任意の適切な方法でネットワーク装置から受信することができる。例えば、その情報はＤＣＩ、ＲＲＣシグナリングなどで伝送できる。例えば、いくつかのビットを使用して、アンライセンスバンドにおけるＵＬデータ送信の開始位置のみを明示的に示してもよく、または、さらなる情報と共に、アンライセンスバンドにおけるＵＬデータ送信の開始位置を代替的に示してもよい。
【００５６】
本開示の一実施形態では、アップリンクデータ送信の開始位置に関する情報は、端末装置のみの（端末装置単体の）決定されたアップリンクデータ送信の開始位置を示してもよい。例えば、３つ以上のビットを使用して、例えばテーブル５．３．１．１Ａ−１に示したものよりも多くの、アンライセンスバンドにおいてＵＬデータ送信の可能な開始位置を示してもよい。一例として、ＤＣＩの３ビットを使用して、４つの追加された、ＮＲシステムのアンライセンスバンドにおけるＵＬデータ送信の可能な開始位置を示してもよい。別の例として、ＤＣＩの４ビットを使用して、１２個の追加された、ＮＲシステムのアンライセンスバンドにおけるＵＬデータ送信の可能な開始位置を示してもよい。このような場合、これらのビット自身が、ＮＲシステムのアンライセンスバンドにおけるＵＬデータ送信の開始位置を示してもよい。
【００５７】
本開示の別の実施形態では、決定されたアップリンクデータ送信の開始位置に関する情報は、使用されるキャリアヌメロロジーとともに、端末装置の決定されたアップリンクデータ送信の開始位置を示してもよい。図５から図８を参照した説明から、可能な開始位置はＮＲシステムで使用されるヌメロロジーに関連していることが理解される。したがって、使用されるヌメロロジーと組み合わせて、テーブル５．３．１．１Ａ−１に示された表示を再利用してもよい。つまり、ＵＬ送信の実際の開始位置は、アップリンクデータ送信の開始位置とＮＲシステムで使用されるキャリアヌメロロジーを示す２ビットから導出してもよい。
【００５８】
一例として、決定されたアップリンクデータ送信の開始位置に関する情報が「０１」を示す場合、ＬＴＥシステムの端末装置では、シンボル０の２５μｓを意味するが、ＮＲシステムの端末装置では、ＮＲシステムで使用されるヌメロロジーに依存して、シンボル０、１、２、３、４、および５のいずれかの２５μｓを意味してもよい。このような場合、ヌメロロジーによって実際の開始位置をさらに決定してもよい。例えば、ＳＣＳが６０ＫＨｚの場合、シンボル長は１７．９μｓであるため、シンボル１の２５μｓを意味する。一方、ＳＣＳが１２０ＫＨｚの場合、シンボル長は８．９５μｓであるため、シンボル２の２５μｓを意味する。
【００５９】
別の例として、決定されたアップリンクデータ送信の開始位置に関する情報が「１１」を示す場合、ＬＴＥシステムの端末装置では、シンボル１を意味するが、ＮＲシステムの端末装置では、ＮＲシステムで使用されるヌメロロジーに依存して、シンボル１、２、３、６のいずれか、またはさらに次のスロット／サブスロットのシンボルを意味してもよい。このような場合、ヌメロロジーによって実際の開始位置をさらに決定してもよい。例えば、ＳＣＳが６０ＫＨｚの場合、シンボル長は１７．９μｓであるため、シンボル２の開始境界を意味し、ＣＳＣが１２０ＫＨｚの場合、シンボル長は８．９５μｓであるため、シンボル３の開始境界を意味する。
【００６０】
本開示の別の実施形態では、それぞれのヌメロロジーについて、開始位置とアップリンクデータ送信の開始位置に関する情報との間の異なるマッピングテーブルを提供してもよい。したがって、アップリンクデータ送信の開始位置は、アップリンクデータ送信の開始位置に関する情報、およびアップリンクデータ送信の開始位置に関する情報と使用されるキャリアヌメロロジーに対応するアップリンクデータ送信の開始位置との間のマッピングに基づいて、決定してもよい。このような場合、まず、アップリンクデータ送信の開始位置に関する情報の受信に応じて、使用するヌメロロジーに対応するマッピングテーブルを選択し、次にアップリンクデータ送信の開始位置に関する情報を使用して、そのマッピングテーブルから示された開始位置を取得する。
【００６１】
説明のために、テーブル１及び２はそれぞれ、ＳＣＳ＝３０ＫＨｚおよびＳＣＳ＝６０ＫＨｚのＰＵＳＣＨ開始位置（starting position）を示している。使用されるヌメロロジーが３０ＫＨｚの場合、テーブル１が選択され、使用されるヌメロロジーが６０ＫＨｚの場合、テーブル２が選択される。決定されたアップリンクデータ送信の開始位置に関する情報を用いて、例えば「１１」の場合、テーブル２のマッピングに基づいて開始位置のシンボル２が取得できる。
【表２】
2020527913.tif 000004
【表３】
2020527913.tif 000005
【００６２】
なお、１２０ＫＨｚ、２４０ＫＨｚなど、他のＳＣＳの値のためのＰＵＳＣＨ開始位置も同様の方法で取得できることに留意すべきである。さらに、上記のテーブルは例示の目的のためだけのものであり、本開示はそれに限定されない。
【００６３】
本開示の一実施形態では、決定されたアップリンクデータ送信の開始位置に関する情報による実際の開始位置と使用されるヌメロロジーとの関係を提供することができ、その関係は使用されるキャリアヌメロロジーをパラメータとして含んでもよい。したがって、アップリンクデータ送信の開始位置は、アップリンクデータ送信の開始位置に関する情報、使用されるキャリアヌメロロジー、およびアップリンクデータ送信の開始位置に関する情報とアップリンクデータ送信の開始位置との関係に基づいて決定することができる。一例として、式１を参照して説明した関係は、シンボルＹを決定するための関係式の例とすることがでる。Ｍμｓおよび（Ｍ＋ＴＡ）μｓが配置されているシンボルは、使用されるヌメロロジーに基づき切り捨て操作によって同様に決定することができる。
【００６４】
本開示の別の実施形態では、アップリンクデータ送信の開始位置は、シンボル境界のみであってもよい。一例として、ＳＣＳ＝６０ＫＨｚの場合、可能な開始位置は、シンボル０とシンボル２の少なくとも１つを含む。さらに、１ビットＤＣＩを使用して、ＮＲシステムのアンライセンスバンドにおけるＵＬデータ送信の2つの可能な開始位置を示すことができる。
【００６５】
本開示の一実施形態では、端末装置は、スロット開始境界（slot start boundary）でＣＣＡ（Clear Channel Assessment）を実行し、他の無線装置または端末装置に送信機会を与えてもよい。ＵＬデータ送信の開始シンボルは、使用されるキャリアヌメロロジーに基づいている。
【００６６】
図９に示すように、６０ＫＨｚのＳＣＳでは、ＣＣＡは各スロットのシンボル０の開始境界から実行される。１スロットに７シンボルまたは１４シンボルが含まれ、Ｍ＝２５μｓ、ｎ＝２の場合、シンボル長＝１７．９５であり、よってＹ＝２となる。したがって、可能な開始位置は、シンボル０、シンボル１の２５μｓ、シンボル１の（２５＋ＴＡ）、またはシンボル２のいずれかである。（２５＋ＴＡ）μｓが配置されている特定のシンボルは、ＴＡの値に依存する。
【００６７】
本開示のさらなる実施形態では、ＣＣＡオーバーヘッドを抑えるために、端末装置は各スロットでＣＣＡを実行せず、代わりに、サブフレーム内の一部のスロットのみの開始境界からＣＣＡを実行する。ＣＣＡスロットのＵＬデータ送信の開始シンボルは、ヌメロロジーに基づいてもよい。
【００６８】
一例として、図１０に示されるように、端末装置は、８スロットを含むサブフレーム内のスロット０またはスロット４でＣＣＡを実行してもよい。ＣＣＡスロット数は、端末装置によってさまざまな方法で決定できる。本開示の一実施形態では、図４のステップ４０３に示すように、ＣＣＡスロット数は、ＲＲＣまたはＤＣＩを介してｇＮＢシグナリングによって示されてもよい。例えば、ネットワーク装置は、各サブフレームにＣＣＡスロットがいくつあるかを端末装置に示してもよい。本開示の別の実施形態では、各サブフレームのＣＣＡスロット数は予め定義されており、これはｇＮＢおよびＵＥの両方によって知られている。
【００６９】
さらに、ＣＣＡスロット数は、例えば２など、異なるヌメロロジーに対して固定としてもよい。代替として、ＣＣＡ数は、異なるヌメロロジーに対して異なるものとし、ヌメロロジーに基づいて決定してもよい。図１１は、本開示の一実施形態に係るサブフレーム内のＣＣＡ数とキャリアヌメロロジーの関係を示している。図１１に示すように、ＣＣＡスロット数は、スロット内のシンボル数と同様にＳＣＳによりスケーリングできる。つまり、異なるＳＣＳでは、ＣＣＡスロット数は異なる。同じＳＣＳであるが、スロット内のシンボルの数が異なる場合、ＣＣＡスロット数も異なる。
【００７０】
図１２は、本開示の一実施形態に係る６０ＫＨｚのＳＣＳおよびスロット内に７シンボルを有するＮＲシステムにおけるＣＣＡの機会の例をさらに示している。図１２に示すように、６０ＫＨｚのＳＣＳおよびスロット内に７シンボルの場合、サブフレーム内に４つのＣＣＡスロット、例えばスロット０、２、４、６を含んでもよい。
【００７１】
本開示で提供されるソリューションによれば、ＮＲシステムのアンライセンスバンドにおけるＵＬデータ送信を可能とし、したがってＮＲシステムのパフォーマンスを向上することができる。
【００７２】
図１３は、本開示の一実施形態に係るアップリンクデータスケジューリングの方法のフローチャートを概略的に示している。この方法１３００は、例えばｇＮＢなどのネットワーク装置またはネットワークノード、または他の同様のネットワーク装置で実施することができる。
【００７３】
図１３に示されるように、最初にステップ１３０１において、ネットワーク装置は、使用されるキャリアヌメロロジーに基づいて、アンライセンスバンドにおける端末装置のアップリンクデータ送信の開始位置を決定する。例えば、１２０ＫＨｚのＳＣＳでは、シンボル３からＵＬデータ送信を開始し、６０ＫＨｚのＳＣＳでは、シンボル２からＵＬデータ送信を開始することを決定できる。
【００７４】
次に、ステップ１３０２において、ネットワーク装置は、ＵＬデータ送信をいつ開始するべきかを示すため、決定されたアップリンクデータ送信の開始位置に関する情報を決定する。
【００７５】
本開示の一実施形態では、決定されたアップリンクデータ送信の開始位置に関する情報は、使用されるキャリアヌメロロジーとともに、端末装置の決定されたアップリンクデータ送信の開始位置を示してもよい。図５から８を参照した説明から、可能な開始位置はＮＲシステムで使用されるヌメロロジーに関連していることが理解される。したがって、使用するヌメロロジーと組み合わせて、テーブル５．３．１．１Ａ−１に示された表示を再利用してもよい。つまり、ＵＬ送信の実際の開始位置は、決定されたアップリンクデータ送信の開始位置に関する情報とＮＲシステムで使用されるキャリアヌメロロジーから導出してもよい。
【００７６】
本開示の別の実施形態では、決定されたアップリンクデータ送信の開始位置に関する情報は、端末装置のみの決定されたアップリンクデータ送信の開始位置を示してもよい。例えば、３つ以上のビットを使用して、例えばテーブル５．３．１．１Ａ−１に示したものよりも多くの、アンライセンスバンドにおいてＵＬデータ送信の可能な開始位置を示してもよい。一例として、ＤＣＩの３ビットを使用して、４つの追加された、ＮＲシステムのアンライセンスバンドにおけるＵＬデータ送信の可能な開始位置を示してもよい。別の例として、ＤＣＩの４ビットを使用して、１２個の追加された、ＮＲシステムのアンライセンスバンドにおけるＵＬデータ送信の可能な開始位置を示してもよい。そのような場合、そのビット自身が、ＮＲシステムのアンライセンスバンドにおけるＵＬデータ送信の開始位置を示してもよい。
【００７７】
オプションとして、ステップ１３０３において、ネットワーク装置は、ＣＣＡ（Clear Channel Assessment）を実行する時点を示すＣＣＡに関する情報を端末装置にさらに送信してもよい。これにより、端末装置は、ＣＣＡに関する情報に基づいてＣＣＡを実行するタイミングを学習できる。
【００７８】
ＵＬデータスケジューリングの方法の実施形態は、図１３を参照して上記で簡単に説明されている。しかしながら、端末装置でのＵＬデータ送信によって共有されるいくつかの詳細については、図４から１２を参照した説明を参照することができる。
【００７９】
図１４は、本開示の一実施形態に係るアップリンクデータ送信のための装置のブロック図を概略的に示している。装置１４００は、ＵＥなどの端末装置に実装されることができる。
【００８０】
図１４に示すように、装置１４００は、位置情報受信モジュール１４０１および位置決定モジュール１４０２を含んでもよい。位置情報受信モジュール１４０１は、ネットワーク装置から、アンライセンスバンドにおけるアップリンクデータ送信の開始位置に関する情報を受信するように構成されてもよい。位置決定モジュール１４０２は、アップリンクデータ送信の開始位置に関する情報からアップリンクデータ送信の開始位置を決定するように構成されてもよく、決定されたアップリンクデータ送信の開始位置は、使用されるキャリアヌメロロジーに関連付けられる。
【００８１】
本開示の一実施形態では、位置決定モジュール１４０２は、アップリンクデータ送信の開始位置に関する情報および使用されるキャリアヌメロロジーに基づいて、アップリンクデータ送信の開始位置を決定するように構成されてもよい。
【００８２】
本開示の別の実施形態では、アップリンクデータ送信の開始位置に関する情報は、端末装置のみの決定されたアップリンクデータ送信の開始位置を示してもよい。
【００８３】
本開示のさらなる実施形態では、位置決定モジュール１４０２は、アップリンクデータ送信の開始位置に関する情報と、アップリンクデータ送信の開始位置に関する情報と使用されるキャリアヌメロロジーに対応するアップリンクデータ送信の開始位置との間のマッピングに基づいて、アップリンクデータ送信の開始位置を決定するように構成されてもよい。
【００８４】
本開示のさらなる実施形態では、位置決定モジュール１４０２は、アップリンクデータ送信の開始位置に関する情報、使用されるキャリアヌメロロジー、およびアップリンクデータ送信の開始位置に関する情報とアップリンクデータ送信の開始位置との間の関係であって、使用されるキャリアヌメロロジーをパラメータとして含む関係に基づいて、アップリンクデータ送信の開始位置を決定するように構成されてもよい。
【００８５】
本開示のさらに別の実施形態では、ＣＣＡは、スロット開始境界とサブフレーム内の一部のスロットの開始境界のうちの１つ以上から実行してもよい。
【００８６】
本開示のさらに別の実施形態では、サブフレーム内のＣＣＡシンボル数は、使用されるキャリアヌメロロジーに依存してもよい。
【００８７】
本開示のさらに別の実施形態では、装置１４００は、ネットワーク装置からＣＣＡを実行する時点を示すＣＣＡに関する情報を受信するように構成されたＣＣＡ情報受信モジュール１４０３をさらに含んでもよい。
【００８８】
図１５は、本開示の一実施形態に係るアップリンクデータスケジューリングのための装置のブロック図を概略的に示している。装置１５００は、ｇＮＢなどのネットワーク装置に実施されることができる。
【００８９】
図１５に示すように、装置１５００は、位置決定モジュール１５０１および位置情報送信モジュール１５０２を備えてもよい。位置決定モジュール１５０１は、使用されるキャリアヌメロロジーに基づいて、アンライセンスバンドにおける端末装置のアップリンクデータ送信の開始位置を決定するように構成されてもよい。位置情報送信モジュール１５０２は、決定されたアップリンクデータ送信の開始位置に関する情報を、端末装置に送信するように構成されてもよい。
【００９０】
本開示の一実施形態では、決定されたアップリンクデータ送信の開始位置に関する情報は、使用されるキャリアヌメロロジーとともに、端末装置の決定されたアップリンクデータ送信の開始位置を示してもよい。
【００９１】
本開示の別の実施形態では、決定されたアップリンクデータ送信の開始位置に関する情報は、端末装置のみの決定されたアップリンクデータ送信の開始位置を示してもよい。
【００９２】
本開示のさらなる実施形態では、装置１５００は、ＣＣＡ情報送信モジュール１５０３をさらに備える。ＣＣＡ情報送信モジュール１５０３は、ＣＣＡ（Clear Channel Assessment）を実行する時点を示すＣＣＡに関する情報を端末装置に送信するように構成されてもよい。
【００９３】
上記において、装置１４００および１５００は、図１４および図１５を参照して概要が説明されている。装置１４００および１５００は、図４から１３を参照して説明されたような機能を実施するように構成されてもよい。したがって、これらの装置におけるモジュールの動作に関する詳細については、図４から１３を参照して方法のそれぞれのステップに関してなされた説明を参照することができる。
【００９４】
なお、装置１４００および１５００の構成要素は、ハードウェア、ソフトウェア、ファームウェア、および／またはそれらの任意の組み合わせで具現化されてもよい。例えば、装置１４００および１５００の構成要素は、それぞれ、回路、プロセッサ、または任意の他の適切な選択装置によって実装されてもよい。
【００９５】
前述の例は例示のためにのみ示されており限定されるものではなく、本開示はそれに限定されないことが、当業者はとって理解される。本明細書で提供される教示から多くの変形、追加、削除および修正を容易に想定することができ、これらの変形、追加、削除および修正はすべて本開示の保護範囲に含まれる。
【００９６】
さらに、本開示のいくつかの実施形態では、装置４００および５００は、少なくとも１つのプロセッサを備えてもよい。本開示の実施形態と共に使用するために適した少なくとも１つのプロセッサは、一例として、既に知られているかまたは将来開発される汎用および特定用途のプロセッサの両方を含んでもよい。装置１４００および１５００は、少なくとも１つのメモリをさらに備えてもよい。少なくとも１つのメモリは、例えば、ＲＡＭ、ＲＯＭ、ＥＰＲＯＭ、ＥＥＰＲＯＭ、およびフラッシュメモリ装置などの半導体メモリ装置を含んでもよい。少なくとも１つのメモリは、コンピュータ実行可能命令のプログラムを格納するために使用されてもよい。プログラムは、ハイレベルおよび／またはローレベルの適合可能または解釈可能な任意のプログラミング言語で記述できる。実施形態によれば、コンピュータ実行可能命令は、少なくとも１つのプロセッサにより、装置１４００および１５００に、少なくとも図４から図１３を参照して説明した方法による動作を実行させるように構成することができる。
【００９７】
図１６は、本明細書に記載されている、無線ネットワーク内の基地局のようなネットワーク装置として具現化または備えられ得る装置１６１０、およびＵＥのような端末装置として具現化または備えられ得る装置１６２０の簡略ブロック図をさらに示している。
【００９８】
装置１６１０は、データプロセッサ（ＤＰ）などの少なくとも１つのプロセッサ１６１１と、プロセッサ１６１１に結合された少なくとも１つのメモリ（ＭＥＭ）１６１２とを備える。装置１６１０は、装置１６２０に通信可能に接続するように動作可能な、プロセッサ１６１１に結合された送信機ＴＸおよび受信機ＲＸ１６１３をさらに備えてもよい。ＭＥＭ１６１２は、プログラム（ＰＲＯＧ）１６１４を格納する。ＰＲＯＧ１６１４は、関連付けられたプロセッサ１６１１上で実行されると、装置１６１０が本開示の実施の形態、例えば方法１３００に従って動作することを可能にする命令を含んでもよい。少なくとも１つのプロセッサ１６１１と少なくとも１つのＭＥＭ１６１２の組み合わせは、本開示の様々な実施形態を実装するように適合された処理手段１６１５を形成してもよい。
【００９９】
装置１６２０は、ＤＰなどの少なくとも１つのプロセッサ１６２１と、プロセッサ１６２１に結合された少なくとも１つのＭＥＭ１６２２とを備える。装置１６２０は、装置１６１０との無線通信のために動作可能な、プロセッサ１６２１に結合された適切なＴＸ／ＲＸ１６２３をさらに備えてもよい。ＭＥＭ１６２２は、ＰＲＯＧ１６２４を格納する。ＰＲＯＧ１６２４は、関連付けられたプロセッサ１６２１上で実行されると、装置１６２０が本開示の実施の形態、例えば方法４００に従って動作することを可能にする命令を含んでもよい。少なくとも１つのプロセッサ１６２１および少なくとも１つのＭＥＭ１６２２の組み合わせは、本開示の様々な実施形態を実装するように適合された処理手段１６２５を形成してもよい。
【０１００】
本開示の様々な実施形態は、プロセッサ１６１１、１６２１のうちの１つ以上によって実行可能なコンピュータプログラム、ソフトウェア、ファームウェア、ハードウェア、またはそれらの組み合わせによって実装されてもよい。
【０１０１】
ＭＥＭ１６１２および１６２２は、ローカルの技術的環境に適した任意のタイプのものでもよく、非限定的な例として、半導体ベースのメモリデバイス、磁気メモリデバイスおよびシステム、光学メモリデバイスおよびシステム、固定メモリおよびリムーバブルメモリなど、任意の適切なデータ記憶技術を使用して実装してもよい。
【０１０２】
プロセッサ１６１１および１６２１は、ローカルの技術的環境に適した任意のタイプでもよく、非限定的な例として、汎用コンピュータ、専用コンピュータ、マイクロプロセッサ、デジタルシグナルプロセッサＤＳＰおよびマルチコアプロセッサアーキテクチャに基づくプロセッサのうちの１つ以上を含んでもよい。
【０１０３】
加えて、本開示は、また、上述のようなコンピュータプログラムを含むキャリアを提供してもよく、キャリアは、電子信号、光信号、無線信号、またはコンピュータ可読記憶媒体のうちの１つでもよい。コンピュータ可読記憶媒体は、例えば、光学コンパクトディスク、またはＲＡＭ（ランダムアクセスメモリ）、ＲＯＭ（読み取り専用メモリ）、フラッシュメモリ、磁気テープ、ＣＤ−ＲＯＭ、ＤＶＤ、Ｂｌｕｅ−ｒａｙディスクなどのような電子メモリデバイスでもよい。
【０１０４】
本明細書で説明される技術は、様々な手段で実装してもよい。そのため、実施形態で説明された対応する装置の１つまたは複数の機能を実装する装置が先行技術の手段を備えるだけでなく、実施形態で説明された対応する装置の１つまたは複数の機能を実装するための手段を備え、別々の機能のための別々の手段を備えてもよいし、２つ以上の機能を実行するように構成され得る手段を備えてもよい。例えば、これらの技術は、ハードウェア（１つ以上の装置）、ファームウェア（１つ以上の装置）、ソフトウェア（１つ以上のモジュール）、またはそれらの組み合わせで実装されてもよい。ファームウェアまたはソフトウェアの場合、本明細書で説明された機能を実行するモジュール（例えば、手順、機能など）を介して実装されてもよい。
【０１０５】
本明細書における例示的な実施形態は、方法および装置のブロック図およびフローチャート図を参照して上述された。ブロック図およびフローチャート図の各ブロック、およびブロック図およびフローチャート図におけるブロックの組み合わせは、それぞれ、コンピュータプログラム命令を含む様々な手段によって実装できることが理解される。これらのコンピュータプログラム命令は、汎用コンピュータ、専用コンピュータ、または機械を製造するための他のプログラム可能なデータ処理装置にロードされ、コンピュータまたは他のプログラム可能なデータ処理装置で実行する命令が、フローチャートまたはブロックで特定された機能を実行するための手段を形成するようにしてもよい。
【０１０６】
本明細書は多くの具体的な実装の詳細を含むが、これらはいかなる実装または特許請求し得るものの範囲に対する限定としてではなく、むしろ特定の実装の特定の実施形態に特有の機能の説明として解釈されるべきである。本明細書において別々の実施形態の文脈で説明されている特定の特徴は、単一の実施形態において組み合わせて実装することもできる。逆に、単一の実施形態の文脈で説明される様々な特徴は、別々にまたは任意の適切なサブコンビネーションで複数の実施の形態で実装することもできる。さらに、特徴が特定の組み合わせで動作するものとして上記で説明され、当初はそのように特許請求されていても、請求された組み合わせからの１つ以上の特徴は、場合によっては、その組み合わせから除外することができ、請求された組み合わせはサブコンビネーションまたはサブコンビネーションのバリエーションに向けられてもよい。
【０１０７】
技術の進歩にしたがい、本発明の概念を様々な方法で実施できることは、当業者にとって明らかである。上記の実施形態は、本開示を限定するのではなく説明するために与えられており、当業者が容易に理解するように、本開示の意図および範囲から逸脱することなく修正および変形することができる。そのような修正および変更は、本開示の範囲および添付の特許請求の範囲内にあると見なされる。本開示の保護範囲は、添付の特許請求の範囲によって定義される。
【図１】
2020527913.tif 000006
【図２】
2020527913.tif 000007
【図３】
2020527913.tif 000008
【図４】
2020527913.tif 000009
【図５】
2020527913.tif 000010
【図６】
2020527913.tif 000011
【図７】
2020527913.tif 000012
【図８】
2020527913.tif 000013
【図９】
2020527913.tif 000014
【図１０】
2020527913.tif 000015
【図１１】
2020527913.tif 000016
【図１２】
2020527913.tif 000017
【図１３】
2020527913.tif 000018
【図１４】
2020527913.tif 000019
【図１５】
2020527913.tif 000020
【図１６】
2020527913.tif 000021
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
ユーザ装置による方法であって、
基地局から、アップリンク送信のための第１の位置を示す第１の情報をＤＣＩ（Downlink Control Information）フォーマットで受信し、
前記第１の位置および、前記アップリンク送信のために設定されたヌメロロジーに対応する値に基づいて、シンボルおよび前記シンボル内における第２の位置を識別し、
前記第２の位置からアンライセンスバンドにて前記アップリンク送信を行う、
方法。
【請求項２】
前記アップリンク送信は、ＰＵＳＣＨ（Physical Uplink Shared Channel）送信である、
請求項１に記載の方法。
【請求項３】
前記第１の位置は、前記ヌメロロジーから独立している、
請求項１または２に記載の方法。
【請求項４】
前記ヌメロロジーは、サブキャリアスペーシングに対応する、
請求項１から３のいずれかに記載の方法。
【請求項５】
前記第２の位置は、前記第２の位置が属するシンボルの境界からキャリアセンシングの時間後である、
請求項１から４のいずれかに記載の方法。
【請求項６】
前記第２の位置は、前記第２の位置が属するシンボルの境界からキャリアセンシングの時間およびタイミングアドバンスの時間後である、
請求項１から４のいずれかに記載の方法。
【請求項７】
前記第２の位置が属するシンボルの次のシンボルは、完全に前記アップリンク送信で占有されている、
請求項１から６のいずれかに記載の方法。
【請求項８】
前記第２の位置が属するシンボルは、部分的に前記アップリンク送信で占有されている、
請求項１から７のいずれかに記載の方法。
【請求項９】
さらに、ＲＲＣ（Radio Resource Control）シグナリングによって第２の情報を受信し、
前記シンボルおよび前記シンボル内における前記第２の位置は、前記第１の位置、前記ヌメロロジーに対応する前記値、および前記第２の情報に基づいて決定する、
請求項１から８のいずれかに記載の方法。
【請求項１０】
前記第１の情報は１以上のインデックスを有し、前記第１の位置は１以上の位置の値を有し、
前記１以上の位置の値はそれぞれ、前記１以上のインデックスに１つ１つ対応づけられる、
請求項１から９のいずれかに記載の方法。
【請求項１１】
基地局による方法であって、
ユーザ装置へ、アップリンク送信のための第１の位置を示す第１の情報をＤＣＩ（Downlink Control Information）フォーマットで送信し、
前記ユーザ装置によって、前記第１の位置および、前記アップリンク送信のために設定されたヌメロロジーに対応する値に基づいて、シンボルおよび前記シンボル内における第２の位置が識別され、
前記第２の位置からアンライセンスバンドにて前記アップリンク送信を受信する、
方法。
【請求項１２】
ユーザ装置であって、
基地局から、アップリンク送信のための第１の位置を示す第１の情報をＤＣＩ（Downlink Control Information）フォーマットで受信するよう構成された受信部、
前記第１の位置および、前記アップリンク送信のために設定されたヌメロロジーに対応する値に基づいて、シンボルおよび前記シンボル内における第２の位置を識別するよう構成された制御部および、
前記第２の位置からアンライセンスバンドにて前記アップリンク送信を行うよう構成された送信部を有する、
ユーザ装置。
【手続補正２】
【補正対象書類名】明細書
【補正対象項目名】００５９
【補正方法】変更
【補正の内容】
【００５９】
別の例として、決定されたアップリンクデータ送信の開始位置に関する情報が「１１」を示す場合、ＬＴＥシステムの端末装置では、シンボル１を意味するが、ＮＲシステムの端末装置では、ＮＲシステムで使用されるヌメロロジーに依存して、シンボル１、２、３、６のいずれか、またはさらに次のスロット／サブスロットのシンボルを意味してもよい。このような場合、ヌメロロジーによって実際の開始位置をさらに決定してもよい。例えば、ＳＣＳが６０ＫＨｚの場合、シンボル長は１７．９μｓであるため、シンボル２の開始境界を意味し、ＳＣＳが１２０ＫＨｚの場合、シンボル長は８．９５μｓであるため、シンボル３の開始境界を意味する。
【手続補正３】
【補正対象書類名】明細書
【補正対象項目名】００７４
【補正方法】変更
【補正の内容】
【００７４】
次に、ステップ１３０２において、ネットワーク装置は、ＵＬデータ送信をいつ開始するべきかを示すため、決定されたアップリンクデータ送信の開始位置に関する情報を端末装置へ送信する。
【手続補正４】
【補正対象書類名】明細書
【補正対象項目名】００９６
【補正方法】変更
【補正の内容】
【００９６】
さらに、本開示のいくつかの実施形態では、装置１４００および１５００は、少なくとも１つのプロセッサを備えてもよい。本開示の実施形態と共に使用するために適した少なくとも１つのプロセッサは、一例として、既に知られているかまたは将来開発される汎用および特定用途のプロセッサの両方を含んでもよい。装置１４００および１５００は、少なくとも１つのメモリをさらに備えてもよい。少なくとも１つのメモリは、例えば、ＲＡＭ、ＲＯＭ、ＥＰＲＯＭ、ＥＥＰＲＯＭ、およびフラッシュメモリ装置などの半導体メモリ装置を含んでもよい。少なくとも１つのメモリは、コンピュータ実行可能命令のプログラムを格納するために使用されてもよい。プログラムは、ハイレベルおよび／またはローレベルの適合可能または解釈可能な任意のプログラミング言語で記述できる。実施形態によれば、コンピュータ実行可能命令は、少なくとも１つのプロセッサにより、装置１４００および１５００に、少なくとも図４から図１３を参照して説明した方法による動作を実行させるように構成することができる。
【手続補正５】
【補正対象書類名】図面
【補正対象項目名】図４
【補正方法】変更
【補正の内容】
【図４】
2020527913.tif 000022
【国際調査報告】
2020527913.tif 000023
2020527913.tif 000024